(57)【要約】【課題】複数の書籍を同時にかつ棚板の手前側端縁に対して平行に前出しさせることができる書籍前出し装置及び書籍前出し装置を備える書架を提供する。【解決手段】書架２の棚板８上に陳列された書籍の前出しを行う書籍前出し装置１であって、棚板８の幅方向に所定の長さを有し、棚板８上を奥行方向に移動可能な前出し部材１１と、棚板８の奥行方向の手前側に延出可能に、前出し部材１１の長手方向に離間して複数配置され、前出し部材１１を棚板８の手前側に引出し操作可能とする操作部材１２，１２と、を備えている。【選択図】図３
2019083972.tif 000002
【特許請求の範囲】
【請求項１】
書架の棚板上に陳列された書籍の前出しを行う書籍前出し装置であって、
前記棚板の幅方向に所定の長さを有し、前記棚板上を奥行方向に移動可能な前出し部材と、
前記棚板の奥行方向の手前側に延出可能に、前記前出し部材の長手方向に離間して複数配置され、前記前出し部材を前記棚板の手前側に引出し操作可能とする操作部材と、
を備えていることを特徴とする書籍前出し装置。
【請求項２】
前記操作部材は、手前側の端部に把持部を備えることを特徴とする請求項１に記載の書籍前出し装置。
【請求項３】
前記前出し部材の長手方向の寸法が前記棚板の幅寸法とほぼ同寸に形成されていることを特徴とする請求項１または２に記載の書籍前出し装置。
【請求項４】
前記操作部材は、前記前出し部材に対して、該前出し部材の長手方向に位置調整可能に係合されていることを特徴とする請求項１ないし３のいずれかに記載の書籍前出し装置。
【請求項５】
前記操作部材は、下向きコ字状の連結部を備え、該連結部が前記前出し部材に外嵌して係合されていることを特徴とする請求項１ないし４のいずれかに記載の書籍前出し装置。
【請求項６】
前記操作部材は、Ｃ字状の連結部を備え、該連結部が前記前出し部材の外周面を取り囲むように外嵌して係合されていることを特徴とする請求項１ないし４のいずれかに記載の書籍前出し装置。
【請求項７】
前記操作部材は、前記棚板の奥行方向に延びる板体により主に構成されていることを特徴とする請求項１ないし６のいずれかに記載の書籍前出し装置。
【請求項８】
前記操作部材は、前記棚板の奥行方向に延び、側方に貫通する開口を有する枠体により主に構成されていることを特徴とする請求項１ないし６のいずれかに記載の書籍前出し装置。
【請求項９】
前記操作部材は、前記棚板の所定の長さを有する紐状部材または帯状部材で主に構成されていることを特徴とする請求項１ないし６のいずれかに記載の書籍前出し装置。
【請求項１０】
前記操作部材は、前記棚板の幅方向に所定の長さを有し少なくとも２つの前記操作部材に架けて取付可能な杆部材と前記前出し部材とに亘り延設され、その長さを調整可能となっていることを特徴とする請求項９に記載の書籍前出し装置。
【請求項１１】
棚板上に複数冊の書籍が陳列される書架であって、
前記棚板の両端部に配置される側板同士の距離とほぼ同寸の長さを有し、前記棚板上を奥行方向に移動可能な前出し部材と、前記棚板の奥行方向の手前側に延出可能に、前記前出し部材の長手方向の任意の位置に配置され、前記前出し部材を前記棚板の手前側に引出し操作可能とする操作部材と、を備える書籍前出し装置が前記棚板上に配置されてなることを特徴とする書籍前出し装置を備える書架。
【請求項１２】
前記前出し部材は、幅方向の長さを調整可能となっていることを特徴とする請求項１１に記載の書籍前出し装置を備える書架。
【発明の詳細な説明】
【技術分野】
【０００１】
本発明は、書架の棚板上に陳列された書籍の前出しを行う書籍前出し装置及び書籍前出し装置を備える書架に関する。
【背景技術】
【０００２】
従来、図書館等の施設では、設置された書架の棚板上に複数冊の書籍が陳列されている。これらの書籍は、利用者が出し入れする度に背表紙の位置が乱れてしまい、背表紙を確認し難くなる問題や、書籍を取り出し難くなる問題等がある。そのため、施設の従業員は、書架の棚板上に陳列された複数冊の書籍の背表紙の位置を手作業で前に出す、所謂前出し作業を定期的に行っている。
【０００３】
このような前出し作業を簡便にするための装置としては、例えば特許文献１に示されるように、スーパーマーケット等において商品を陳列する陳列棚において用いられ、物品を前出しする装置（前送り装置）がある。この装置は、所定の幅方向の寸法を備えて棚板の上に自立するパネル体と、このパネル体の下部に設けられた通孔と、その通孔に差込み可能な鈎状の先端部を有する引き棒とを有しており、引き棒の先端部を通孔に差込み、パネル体を棚板の手前側に引き出すことで、複数の物品を棚板の手前側に前出しすることができる。
【先行技術文献】
【特許文献】
【０００４】
【特許文献１】特開平８−１０１０７号公報（第２頁、第１図）
【発明の概要】
【発明が解決しようとする課題】
【０００５】
しかしながら、特許文献１にあっては、引き棒とパネル体とは鈎状の先端部と通孔との係合で連結されているため、引き棒にてパネル体を引き出す際、引き棒の先端部とパネル体の通孔との係合部分が水平方向に傾動し、パネル体が水平方向に傾いてしまう虞がある。特に、パネル体の手前側に位置する物品の重量が異なる場合には、パネル体の水平方向の傾きが生じ易く、複数の物品を棚板の手前側端縁に対して平行となる方向に正確に前出しすることができないという問題が生じる。
【０００６】
本発明は、このような問題点に着目してなされたもので、複数の書籍を同時にかつ棚板の手前側端縁に対して平行に前出しさせることができる書籍前出し装置及び書籍前出し装置を備える書架を提供することを目的とする。
【課題を解決するための手段】
【０００７】
前記課題を解決するために、本発明の書籍前出し装置は、
書架の棚板上に陳列された書籍の前出しを行う書籍前出し装置であって、
前記棚板の幅方向に所定の長さを有し、前記棚板上を奥行方向に移動可能な前出し部材と、
前記棚板の奥行方向の手前側に延出可能に、前記前出し部材の長手方向に離間して複数配置され、前記前出し部材を前記棚板の手前側に引出し操作可能とする操作部材と、
を備えていることを特徴としている。
この特徴によれば、前出し部材は、前出し部材の長手方向に離間して複数配置される操作部材により、棚板の手前側に引出される。そのため、引出し量が一定となるように複数の操作部材を引き出し操作することで、前出し部材が棚板の長手方向に傾くことなく略平行な安定した状態で引出され、前出し部材により複数の書籍を同時に、かつ棚板の手前側端縁に対して平行に前出しさせることができる。
【０００８】
前記操作部材は、手前側の端部に把持部を備えることを特徴としている。
この特徴によれば、操作部材の把持部を直接持って、操作部材を引き出すことができる。
【０００９】
前記前出し部材の長手方向の寸法が前記棚板の幅寸法とほぼ同寸に形成されていることを特徴としている。
この特徴によれば、棚板上の全ての書籍を一度に引き出すことができる。
【００１０】
前記操作部材は、前記前出し部材に対して、該前出し部材の長手方向に位置調整可能に係合されていることを特徴としている。
この特徴によれば、操作部材を前出し部材の長手方向に位置調整して、前出し部材を引き出す際の作用点を適宜変更できる。また、棚板上に陳列されている書籍の数や位置に応じて、前出し作業を行い易い位置に操作部材の位置を調整することができる。
【００１１】
前記操作部材は、下向きコ字状の連結部を備え、該連結部が前記前出し部材に外嵌して係合されていることを特徴としている。
この特徴によれば、操作部材と前出し部材との相対的な水平方向の傾動が防止され、これら操作部材と前出し部材と押し戻し部材とによる略矩形状を維持した状態で、押し戻し部材を押すことができ、正確に複数の書籍を押すことができる。
【００１２】
前記操作部材は、Ｃ字状の連結部を備え、該連結部が前記前出し部材の外周面を取り囲むように外嵌して係合されていることを特徴としている。
この特徴によれば、連結部が前出し部材の長手方向の端部からのみ着脱可能となり、前出し操作時における操作部材の離脱を防止することができる。
【００１３】
前記操作部材は、前記棚板の奥行方向に延びる板体により主に構成されていることを特徴としている。
この特徴によれば、操作部材同士の間で書籍を挟持でき、前出し作業時に書籍が安定し、かかる作業を行い易い。
【００１４】
前記操作部材は、前記棚板の奥行方向に延び、側方に貫通する開口を有する枠体により主に構成されていることを特徴としている。
この特徴によれば、操作部材を直接持って引き出す場合に、開口に指を入れることができ、操作部材を把持し易い。
【００１５】
前記操作部材は、前記棚板の所定の長さを有する紐状部材または帯状部材で主に構成されていることを特徴としている。
この特徴によれば、操作部材が紐状部材または帯状部材であることから、書籍の陳列の邪魔になり難い。
【００１６】
前記操作部材は、前記棚板の幅方向に所定の長さを有し少なくとも２つの前記操作部材に架けて取付可能な杆部材と前記前出し部材とに亘り延設され、その長さを調整可能となっていることを特徴としている。
この特徴によれば、複数の操作部材が取付けられた杆部材を引くことで、複数の操作部材を同時に引き出せ、前出し部材を棚板の手前側に棚板の長手方向に傾くことなく引出すことができるとともに、杆部材を用いて複数の書籍の背表紙を棚板の奥側に押すことで、複数の書籍を前揃えさせることができる。また、不使用時の操作部材及び杆部材を書籍の出し入れの邪魔にならないようにでき、かつ書籍の奥行き寸法に応じて、操作部材を前出し作業の行い易い長さに調整することができる。
【００１７】
前記課題を解決するために、本発明の書籍前出し装置を備える書架は、
棚板上に複数冊の書籍が陳列される書架であって、
前記棚板の両端部に配置される側板同士の距離とほぼ同寸の長さを有し、前記棚板上を奥行方向に移動可能な前出し部材と、前記棚板の奥行方向の手前側に延出可能に、前記前出し部材の長手方向の任意の位置に配置され、前記前出し部材を前記棚板の手前側に引出し操作可能とする操作部材と、を備える書籍前出し装置が前記棚板上に配置されてなることを特徴としている。
この特徴によれば、書籍前出し装置の前出し部材は、操作部材を引出した際に書架の両側板に案内されるため、前出し部材が棚板の長手方向に傾くことなく略平行な安定した状態で引出され、前出し部材により複数の書籍を同時に、かつ棚板の手前側端縁に対して平行に前出しさせることができる。
【００１８】
前記前出し部材は、幅方向の長さを調整可能となっていることを特徴としている。
この特徴によれば、種々の大きさの書架にて、複数の書籍を同時に、かつ棚板の手前側端縁に対して平行に前出しさせることができる。
【図面の簡単な説明】
【００１９】
【図１】本発明の実施例１における書籍前出し装置を備える書架を示す斜視図である。
【図２】棚段の固定構造を示す一部拡大分解斜視図である。
【図３】書籍前出し装置を示す分解斜視図である。
【図４】操作部材と前出し部材の棚段への配置状態を示す側断面図である。
【図５】棚板に陳列された書籍の背表紙の位置が乱れている状態を示す平面図である。
【図６】杆部材を操作部材の係合部に係合させる態様を示す図であり、（ａ）は、書籍を若干後方側に押した状態を示す図であり、（ｂ）は、杆部材を操作部材の係合部に係合させた状態を示す図である。
【図７】前出し作業を示す図である。
【図８】前揃え作業を示す図である。
【図９】操作部材本体の手前側端縁に杆部材を当接させた状態を示す図である。
【図１０】操作部材を格納させる様子を示す図である。
【図１１】操作部材の変形例を示す図である。
【図１２】実施例２における書籍前出し装置の操作部材を示す図である。
【図１３】実施例３における書籍前出し装置の操作部材を示す図である。
【図１４】実施例４における書籍前出し装置の操作部材と杆部材との関係を示す図である。
【発明を実施するための形態】
【００２０】
本発明に係る書籍前出し装置及び書籍前出し装置を備える書架を実施するための形態を実施例に基づいて以下に説明する。
【実施例１】
【００２１】
実施例１に係る書籍前出し装置及び書籍前出し装置を備える書架につき、図１から図１１を参照して説明する。以下、図４の紙面右側を書籍前出し装置を備える書架の手前側（前方側）とし、紙面左側を書架の奥側（後方側）として説明する。
【００２２】
図１に示されるように、書籍前出し装置１は、書架２の棚段３，３，…上に陳列された複数冊の書籍Ｂを前出しする装置である。本実施例の書架２は、図書館等の施設で利用され、上下に複数の棚段３，３，…を備えている。
【００２３】
図１に示されるように、書架２は、左右に所定間隔離間して起立する一対の支柱４，４と、支柱４，４の上端部と下端部との対向面同士を連結している横連結杆５，５と、支柱４，４の前面に支持された上下複数段の棚段３，３，…と、から主に構成されており、各棚段３には書籍Ｂが陳列可能となっている。支柱４は、脚部６を有して自立可能となっているとともに、支柱４の前面４ａには、係合孔７，７，…が上下方向に多数並んで設けられている。
【００２４】
図２に示されるように、棚段３は、棚板８と、棚板８の幅方向両端部に固定された側板９，９と、から主に構成されている。側板９の後方側端部には、鈎状の係止片１０，１０，…が上下方向に形成されており、これら係止片１０，１０，…が支柱４の係合孔７，７，…に係合されて、側板９，９及び棚板８が支柱４，４の間に支持されている。
【００２５】
図３に示されるように、書籍前出し装置１は、前出し部材１１と、操作部材１２とを備えて構成されている。前出し部材１１は、棚板８の上面８ａ（図１参照）の幅方向の寸法と略同寸の杆部材で構成されており、中空の断面視略矩形状となっている。
【００２６】
操作部材１２は、前出し部材１１の前面１１ａと後面１１ｂと上面１１ｃとに亘り外嵌し、係合する略下向きコ字状の連結部１４と、連結部１４の幅方向の略中央に固定され、手前側に直立して延設される板体よりなる操作部材本体１５と、から主に構成されている。
【００２７】
操作部材本体１５は、手前側の端部に、杆部材１３が係合可能な係合部１６Ａと係合部１６Ｂが上下方向に所定距離離れて形成されている。係合部１６Ａは、操作部材本体１５の上端縁１５ａ側に開口するように鉛直方向に切り欠かれて形成されており、その下端部１７が円弧形状となっている。係合部１６Ｂは、操作部材本体１５の手前側端縁１５ｂ側に開口する水平部１８と、水平部１８の端部から鉛直方向下方に延びる鉛直部１９とから構成され、鉛直部１９の下端部２０が円弧形状となっている。尚、係合部１６Ａと係合部１６Ｂとは、操作部材本体１５の上端縁１５ａ側と手前側端縁１５ｂ側とにそれぞれ開口する端部がＲ面取り加工されている。
【００２８】
杆部材１３は、金属製の中空の円杆部材よりなり、その長手方向の寸法が側板９，９同士の距離と略同寸に形成されている（図５参照）。また、外径は係合部１６Ａの下端部１７と係合部１６Ｂの下端部２０を構成する円弧形状の部分に遊嵌する程度の寸法となっている（図６（ｂ）参照）。
【００２９】
続いて、書籍前出し装置１の使用態様について説明する。図４に示されるように、前出し部材１１と操作部材１２とを棚板８の上面８ａに載置する。このとき前出し部材１１は、支柱４，４の前面４ａ，４ａに後面１１ｂが当接する位置に配置する。
【００３０】
この前出し部材１１の後面１１ｂが支柱４，４の前面４ａ，４ａに当接した状態において、操作部材１２における操作部材本体１５の手前側端縁１５ｂと棚板８の手前側端縁８ｂとが鉛直方向に略重なる。即ち、前出し部材１１に操作部材１２を係合させた状態における、前出し部材１１の後面１１ｂから操作部材本体１５の手前側端縁１５ｂまでの寸法が、支柱４の前面４ａから棚板８の手前側端縁８ｂまでの寸法と略同寸となっている。
【００３１】
書架２の棚段３，３，…には、書籍Ｂを陳列する前に、予め上記した態様で書籍前出し装置１を設置しておく。
【００３２】
図５は、利用者が書籍Ｂを出し入れする度に、これらの背表紙の位置が乱れ、一部の書籍Ｂが棚板８の奥側に位置し、利用者が取りだし難くなっている状態を示している。このとき、前出し部材１１の後面１１ｂは、支柱４，４の前面４ａ，４ａに当接しているため、操作部材本体１５の手前側端縁１５ｂが書籍Ｂの間に埋没している場合がある。そのため、図６（ａ）に示されるように、杆部材１３を操作部材１２より上方に当接させ、少なくとも操作部材本体１５の係合部１６Ａが露出するまで書籍Ｂ，Ｂ，…を後方に押し下げ、図６（ｂ）に示されるように、幅方向に離間する２つの操作部材１２，１２の係合部１６Ａ，１６Ａに杆部材１３をそれぞれ係合させる。
【００３３】
続いて、図７に示されるように、係合部１６Ａに係合させた杆部材１３を棚板８の前方側に引く。これにより、操作部材１２を介して前出し部材１１が前方に移動され、前出し部材１１と当接した書籍Ｂが前出し部材１１の移動に伴い前方側に前出しされる。
【００３４】
次いで、図８に示されるように、書籍Ｂ，Ｂ，…の背表紙が棚板８の手前側端縁８ｂと面一もしくは手前側端縁８ｂよりも前方側に移動させた後、今度は杆部材１３を後方側に押す。
【００３５】
杆部材１３は、幅方向に離間する２つの操作部材１２，１２の係合部１６Ａ，１６Ａに架けて係止させた状態で、棚板８の後方側に移動されるため、杆部材１３に当接した複数冊の書籍Ｂ，Ｂ，…の背表紙の位置が直線状に並んだ状態に整えられる（前揃え作業）。
【００３６】
次いで、図９に示されるように、係合部１６Ａから離脱させる作業が行い易い位置で押し戻し作業を一旦止め、杆部材１３を係合部１６Ａから離脱させる。
【００３７】
最後に、図１０に示されるように、杆部材１３を操作部材本体１５の手前側端縁１５ｂに当接させ、図１１に示されるように、操作部材本体１５の手前側端縁１５ｂが書籍Ｂの背表紙Ｂ１と面一になるまで操作部材１２及び前出し部材１１を押し戻し、操作部材１２を格納する。尚、上記したように、前出し部材１１の後面１１ｂから操作部材本体１５の手前側端縁１５ｂまでの寸法が、支柱４の前面４ａから棚板８の手前側端縁８ｂまでの寸法と略同寸となっているため、操作部材１２を押す際には、前出し部材１１の後面１１ｂが支柱４，４の前面４ａ，４ａに当接するまで押せば、操作部材１２の格納が完了する。
【００３８】
このように、前出し部材１１は、前出し部材１１の長手方向に離間して２つ配置される操作部材１２，１２により、棚板８の手前側に引出される。そのため、引出し量が一定となるように両操作部材１２，１２を引き出し操作することで、前出し部材１１が棚板８の手前側に棚板８の長手方向に傾くことなく略平行な安定した状態で引出され、前出し部材１１により複数の書籍Ｂ，Ｂ，…を同時に、かつ棚板８の手前側端縁８ｂに対して平行に前出しさせることができる。
【００３９】
また、杆部材１３は、操作部材１２に上下方向に向けて形成された係合部１６Ａに係合するため、杆部材１３により操作部材１２を棚板８の奥行方向に往復移動させることができる。更に、前出し部材１１の長手方向に離間する２つの操作部材１２，１２に架けて係合されるため、杆１３が棚板の長手方向に傾きにくくなっており杆１３を安定した状態で押すことができ、杆１３を操作部材１２，１２に直行させ、操作部材１２，１２の延設方向に沿う方向に正確に複数の書籍Ｂ，Ｂ，…を押すことができ、複数の書籍Ｂ，Ｂ，…の背表紙の位置を正確に揃えることができる。
【００４０】
また、前出し部材１１の長手方向に離間する２つの操作部材１２，１２に係合された杆部材１３を引くことで、２つの操作部材１２，１２を同時に引き出せ、前出し部材１１を棚板８の手前側に棚板の長手方向に傾くことなく略平行な安定した状態で引出すことができる。更に、杆部材１３が操作部材１２，１２に上下方向に向けて形成された係合部１６Ａ，１６Ａにそれぞれ係合されることで、杆部材１３が前出し作業時における書籍Ｂの落下を防止する落下防止部材として機能する。
【００４１】
また、操作部材１２は、操作部材本体１５の手前側端部に、杆部材１３が係合可能な係合部１６Ａと係合部１６Ｂとが上下方向に備えられており、書籍Ｂの高さ寸法に応じて杆部材１３の係合位置を適宜選択することができる。
【００４２】
また、操作部材１２は、前出し部材１１に対して、前出し部材１１の長手方向に位置調整可能に係合されているため、前出し部材１１を引き出す際の作用点を適宜変更できる。更に、棚板８上に陳列されている書籍の数や位置に応じて、前出し作業しやすい位置に操作部材１２の位置を調整することができる。
【００４３】
また、操作部材１２は、棚板８の奥行方向に延びて自立する操作部材本体１５を備えているため、操作部材１２，１２同士の間で書籍を挟持でき、前出し作業時や前揃え作業時に書籍が立てられた状態で安定し、かかる作業を行い易い。更に、書籍前出し装置１は常時棚段３に設置されているため、前出し作業時や前揃え作業時以外では、操作部材１２は書籍の仕切部材として機能する。
【００４４】
また、前出し部材１１は、書架２の側板９，９間の寸法と略同寸の長手方向の寸法を有しているため、前出し作業時及び前揃え作業時において、側板９，９の間で案内され、棚板の長手方向に傾くことなく略平行な安定した状態で正確に移動させることができる。更に、前出し部材１１の長手方向の寸法は、棚板８の幅寸法とほぼ同寸となっているため、棚板８上の全ての書籍を一度に引き出すことができる。
【００４５】
また、操作部材１２を構成する下向きコ字状の連結部１４が前出し部材１１に外嵌しているため、操作部材１２と前出し部材１１との相対的な水平方向の傾動が防止され、これら操作部材１２と前出し部材１１とによる略コ字形状を維持した状態で、操作部材１２，１２を引き出すことができ、棚板の長手方向に傾くことなく略平行な安定した状態で複数の書籍Ｂ，Ｂ，…を前出しすることができる。
【００４６】
また、上記した前出し作業、前揃え作業を行うことで、仮に、書籍Ｂの奥行き寸法が異なる場合であっても、複数の書籍Ｂ，Ｂ，…の背表紙を前揃えさせることができる。詳しくは、操作部材１２を手前側に引き出すことで、棚板８の幅方向に所定の長さを有する前出し部材１１が棚板８の手前側に移動するのに伴い、奥行寸法の小さい書籍ごと複数の書籍Ｂ，Ｂ，…を一旦前出しさせ、その後、杆部材１３を棚板８の奥側に移動させることで、奥行き寸法が異なる複数冊の書籍Ｂ，Ｂ，…の背表紙を杆部材１３により同時に押して簡便に前揃えさせることができる。
【００４７】
また、前出し部材１１に操作部材１２を係合させた状態における、前出し部材１１の後面１１ｂから操作部材本体１５の手前側端縁１５ｂまでの寸法が、支柱４の前面４ａから棚板８の手前側端縁８ｂまでの寸法（棚板８の奥行寸法）と略同寸となっているため、操作部材１２における操作部材本体１５の手前側端縁１５ｂと棚板８の手前側端縁８ｂとが鉛直方向に略重ねられた状態を初期位置としているため、書籍Ｂ，Ｂ同士の間に埋没した操作部材本体１５の手前側端部を見付けやすく、速やかに操作部材１２を利用することができる。
【００４８】
尚、操作部材１２の操作部材本体１５は板体に限らず、例えば図１１に示すように、棒状の部材を矩形状に折り曲げて棚板８の奥行方向に延び、側方に貫通する開口２７を有する枠体で構成してもよく、このようにした場合、操作部材１２’を直接持って引き出す場合に、開口２７に指を入れて棒状の部材を把持部として利用することができ操作部材本体１５’を把持し易い。また、図１１の操作部材１２’における連結部１４’は、前出し部材１１の外周面を取り囲むように外嵌するＣ字状を成しており、連結部１４’が前出し部材１１の長手方向の端部からのみ着脱可能となり、前出し操作時における操作部材１２’の離脱を防止することができる。尚、操作部材本体１５’を構成する枠体の形状は矩形状に限らず、円形や三角形等であってもよい。
【実施例２】
【００４９】
次に、実施例２に係る書籍前揃え装置につき、図１２を参照して説明する。尚、前記実施例と同一構成で重複する構成の説明を省略する。また、説明の便宜上、図１２において手前側の側板を破線にて示している。
【００５０】
図１２に示されるように、書籍前揃え装置２１は、前出し部材２２が中空の杆部材２２ａと杆部材２２ｂと杆部材２２ｃとが、入れ子状に組み合わされて成り、前出し部材２２の長手方向の長さを調整可能となっている。これによれば、棚板の幅方向の長さ寸法に合わせて前出し部材２２の長さを調整でき、種々の大きさの書架にて利用可能となる。また、一方の操作部材２４ａは、杆部材２２ａに固定され、他方の操作部材２４ｂは、杆部材２２ｂに固定されており、前出し部材２２の長さ調整により、互いの幅方向の距離を調整可能となっている。尚、操作部材２４ａ，２４ｂは、前出し部材２２に固定されていなくてもよく、上述した連結部等を備えて着脱自在な別体で構成してもよい。
【００５１】
また、前出し部材２２の長さを書架２の側板９，９間の寸法と略同寸に調整することで、操作部材２４ａ，２４ｂを引出した際に、前出し部材２２を書架２の両側板９，９に案内させることができる。そのため、種々の大きさの書架にて、複数の書籍を同時に、かつ棚板の手前側端縁８ｂに対して平行に前出しさせることができる。
【００５２】
また、操作部材２４ａ，２４ｂには、側方に貫通する開口２５を備えており、この開口２５より前方側が把持部２６，２６として機能している。そのため、開口２５，２５に指を入れることで、把持部２６，２６を直接把持し易く、操作部材２４ａ，２４ｂを直接持って行う前出し操作時の操作性が向上する。
【実施例３】
【００５３】
次に、実施例３に係る書籍前揃え装置につき、図１３を参照して説明する。尚、前記実施例と同一構成で重複する構成の説明を省略する。また、説明の便宜上、図１３において手前側の側板を破線にて示している。
【００５４】
図１３に示されるように、操作部材１２０は、前出し部材１１に外嵌する略下向きコ字状の連結部１４０と、連結部１４０の幅方向の略中央に固定され、所定の長さを有する紐状部材よりなる操作部材本体１５０と、操作部材本体１５０の先端部に取付けられた把持部１５１と、から主に構成されている。尚、操作部材本体１５０は紐状部材に限らず所定の幅を有する帯状部材で構成されていてもよい。
【００５５】
このように、操作部材１２０を紐状部材にて構成することで、棚段３上において複数の書籍Ｂ，Ｂ，…の陳列の邪魔になり難い。また、不使用時には、結ぶなどして棚段３の奥側にまとめて置くこともできる。
【００５６】
尚、このように操作部材１２０を紐状部材にて構成した場合には、書籍Ｂを手で奥側に押すなどして、前出し部材１１を棚板８の奥側の初期位置に移動させることになる。
【００５７】
また、杆部材１３に把持部１５１に係合する係合部、例えば、操作部材本体１５０の外形寸法よりも長く、把持部１５１の外形寸法よりも短いスリットを設け、前出し作業時には杆部材１３を引く事により、２つの操作部材１２０，１２０を同時に引き出すことができるようにしてもよい。更に、操作部材本体１５０の先端部は把持部に限らず、図示しないフック等とすることで、これらフックを杆部材１３に係合させ、前出し作業時には杆部材１３を引く事により、２つの操作部材１２０，１２０を同時に引き出すことができるようにしてもよい。
【実施例４】
【００５８】
次に、実施例４に係る書籍前揃え装置につき、図１４を参照して説明する。尚、前記実施例と同一構成で重複する構成の説明を省略する。また、説明の便宜上、図１４において手前側の側板を破線にて示している。
【００５９】
図１４（ａ）に示されるように、操作部材１２０，１２０の操作部材本体１５０，１５０の先端は、杆部材１３０にそれぞれ固定されている。この構成によれば、杆部材１３０を引くことで、２つの操作部材１２０，１２０を同時に引き出せ、前出し部材１１を棚板８の手前側に棚板の長手方向に傾くことなく略平行な安定した状態で引出すことができる。尚、杆部材１３０は、前揃え作業に利用することができる。
【００６０】
また、杆部材１３０には、磁石３０，３０が固定されており、杆部材１３０の不使用時には、図１４（ｂ）に示されるように、操作部材本体１５０を杆部材１３０に巻きつける等してその長さを調整した状態で、磁石３０，３０を金属製の棚板８の下面等に磁着させることで、杆部材１３を書架２に保持できるとともに、操作部材本体１５０が書籍の出し入れの邪魔にならない。
【００６１】
尚、操作部材本体１５０の長さを調整する手段としては、杆部材１３０に巻きつける態様に限らず、例えば、連結部１４０側に操作部材本体１５０を巻き取る装置を備え、当該巻き取る装置により長さを調整する等の態様であってもよい。このような操作部材本体１５０の長さを調整する手段を備えることで、仮に磁石を省略しても、不使用時の操作部材本体１５０及び杆部材１３０が書籍の出し入れの邪魔にならないようにできる。また、書籍の奥行き寸法に応じて、操作部材本体１５０を前出し作業の行い易い長さに調整することができる。
【００６２】
以上、本発明の実施例を図面により説明してきたが、具体的な構成はこれら実施例に限られるものではなく、本発明の要旨を逸脱しない範囲における変更や追加があっても本発明に含まれる。
【００６３】
例えば、前記実施例では、操作部材と前出し部材とが別体で形成されているが、これに限らず一体に形成されていてもよい。
【００６４】
また、操作部材は、前出し部材を前方に引き出せる構成であれば、どのような形状であってもよい。例えば、棚板８の奥行方向に延びる棒状部材であってもよい。
【００６５】
また、前出し部材は、操作部材により後方側に移動される態様に限らず、書籍によって後方側に移動されればよいため、操作部材には前出し部材を後方側に移動できる構造を有していなくてもよい。
【００６６】
また、前出し部材は、書籍を前方側に移動できれば、前記実施例のような杆状に限らず、例えば、板状であってもよい。更に、前出し部材は棚板８の上面８ａを摺動される構造に限らず、例えば、前出し時と前揃え時には、棚板８の上面８ａから離間するものであってもよい。
【００６７】
また、前出し部材は棚段３の側板９，９の幅方向の寸法と略同寸の長手方向の寸法を有していなくてもよく、例えば、複数の書籍を同時に移動可能なだけの長手方向の寸法を有する前出し部材を１段の棚段３に複数幅方向に配置してもよい。
【００６８】
また、操作部材は前出し部材に対して３つ以上の複数個係合されていてもよい。
【００６９】
また、杆部材は、前記実施例の構成に限らず、例えば板状であってもよいし、長手方向の寸法は、複数の操作部材に架けて係止される複数の書籍を同時に移動可能なだけの長手方向の寸法であってもよい。
【００７０】
また、前出し作業は、必ずしも杆部材を利用せずとも、操作部材を直接把持して行われてもよく、例えば、実施例１においては、操作部材本体１５の係合部１６Ａまたは係合部１６Ｂに指を引っ掛けることができ、操作部材本体１５の手前側の端部を把持部として利用して、操作部材１２を引出し操作し易くなっている。
【符号の説明】
【００７１】
１                書籍前出し装置
２                書架
３                棚段
４                支柱
４ａ              支柱前面
５                横連結杆
７                係合孔
８                棚板
８ａ              棚板上面
８ｂ              棚板手前側端縁
９                側板
１０              係止片
１１              前出し部材
１１ｂ            前出し部材後面
１２              操作部材
１３              杆部材
１４              連結部
１５              操作部材本体
１５ｂ            操作部材本体手前側端縁
１６Ａ，１６Ｂ    係合部（把持部）
２６              把持部
１２０            操作部材
１５１            把持部
Ｂ                書籍
Ｂ１              書籍背表紙
【図１】
2019083972.tif 000003
【図２】
2019083972.tif 000004
【図３】
2019083972.tif 000005
【図４】
2019083972.tif 000006
【図５】
2019083972.tif 000007
【図６】
2019083972.tif 000008
【図７】
2019083972.tif 000009
【図８】
2019083972.tif 000010
【図９】
2019083972.tif 000011
【図１０】
2019083972.tif 000012
【図１１】
2019083972.tif 000013
【図１２】
2019083972.tif 000014
【図１３】
2019083972.tif 000015
【図１４】
2019083972.tif 000016